(57)【特許請求の範囲】
【請求項１】
収音を行うマイクロホンユニットと、音声出力回路を有する出力モジュール部と、それらを接続する２芯シールド線からなるマイクコードとを具備し、前記マイクロホンユニットには、ハウジング内に振動板と固定極とを対向させて収容するマイクロホンカプセルと、両端が開口する円筒状に形成され、一端側で前記マイクロホンカプセルを支持すると共に、他端側から前記マイクコードの一端が引き込まれる金属製の支持筐体とを含み、前記支持筐体内には、前記固定極と電気的に接続されるインピーダンス変換器が実装された回路基板が設けられ、前記回路基板に前記マイクコードの一端が接続されたマイクロホンであって、
前記支持筐体内には、該支持筐体の軸方向に延びる小径筒状体と大径筒状体とが円環板状体を介して段差状に連結されてなる止め金具が設けられ、
前記支持筐体内に引き込まれたマイクコードには、シールド被覆線を剥き出したシールド被覆線露出部が形成され、前記シールド被覆線露出部は、前記止め金具の小径筒状体に挿通されると共に、前記小径筒状体にかしめ固着され、
前記支持筐体の内周面には、縮径されることにより円環状の段差部が設けられ、
前記止め金具において前記円環板状体の周縁部となる前記大径筒状体の一端は、前記段差部に係止され、前記大径筒状体の他端は、前記支持筐体の開口部に結合される蓋部材の裏面に当接し、前記止め金具は、前記蓋部材により前記段差部に対し押圧されることを特徴とするマイクロホン。
【請求項２】
前記蓋部材には、前記マイクコードを挿通可能な第一の切り込みスリットが設けられ、
前記第一の切り込みスリットにより、前記支持筐体に対する収音軸に沿った前記マイクコードの第一の引き込み口が形成され、
前記止め金具における前記大径筒状体には、前記マイクコードを挿通可能な第二の切り込みスリットが設けられ、前記蓋部材が螺合される前記支持筐体の端部には、前記マイクコードを挿通可能な第三の切り込みスリットが設けられ、
前記蓋部材が前記支持筐体の端部に螺合し、前記第二の切り込みスリットと第三の切り込みスリットとが重ね合わされた状態で、
前記第二の切り込みスリット及び第三の切り込みスリットにより、前記支持筐体に対する収音軸と直交する前記マイクコードの第二の引き込み口が形成され、
前記マイクコードは、前記第一の引き込み口と第二の引き込み口のいずれかに挿通され、前記支持筐体内に引き込まれていることを特徴とする請求項１に記載されたマイクロホン。
【請求項３】
前記支持筐体の内周面には、前記第三の切り込みスリットに対し位置決めされ、収音軸方向に延びる第一のガイド溝が設けられ、
前記止め金具における前記大径筒状体には、その外周面に、前記第二の切り込みスリットに対し位置決めされ、前記第一のガイド溝に対し係合可能、且つ摺動可能な係合突起が設けられ、
前記係合突起と前記第一のガイド溝とが係合する状態において、前記第二の切り込みスリットと前記第三の切り込みスリットとが重なり合うことを特徴とする請求項２に記載されたマイクロホン。
【請求項４】
前記支持筐体の内周面には、前記第三の切り込みスリットに対し位置決めされ、収音軸方向に延びる第二のガイド溝が設けられ、
前記止め金具における前記大径筒状体には、その外周面に、前記第二の切り込みスリットに対し位置決めされ、前記第二のガイド溝に対し係合可能、且つ摺動可能な係合突起が設けられ、
前記係合突起と前記第二のガイド溝とが係合する状態において、前記第二の切り込みスリットと前記第三の切り込みスリットとが重なり合わないことを特徴とする請求項２または請求項３に記載されたマイクロホン。
【請求項５】
前記蓋部材は、前記支持筐体の開口部に対し、螺合により結合されることを特徴とする請求項１乃至請求項４のいずれかに記載されたマイクロホン。
【請求項６】
前記支持筐体の開口部には、内径方向に延びる鍔状突起が設けられ、前記鍔状突起に対し、前記蓋部材の周縁部が係合することにより、前記蓋部材が前記支持筐体の開口部に対し結合されることを特徴とする請求項１乃至請求項４のいずれかに記載されたマイクロホン。
【発明の詳細な説明】
【技術分野】
【０００１】
本発明は、コンデンサマイクロホンユニットと、音声出力回路を有する出力モジュール部とが、専用のマイクコードを介して接続されているマイクロホンに関し、特に電磁波に起因する雑音の発生を防止することのできるマイクロホンに関する。
【背景技術】
【０００２】
コンデンサマイクロホンユニット（ユニット部と呼ぶ）を専用のマイクコードで延長して使用するマイクロホンの一つに、ラベリア（タイピン）マイクロホンがある。
このラベリアマイクロホンにあっては、話者の口元に近づける必要があることから小型のユニット部が用いられ、比較的細い専用のマイクコードを介し、音声出力回路を内蔵した出力モジュールに接続される。
また、ユニット部、或いはマイクコードには保持具（クリップ）が設けられ、この保持具で衣類に挟む等により、話者の口元にマイクロホンの収音軸が向くように取り付けられる。尚、このようなマイクロホンについては、特許文献１に記載されている。
【０００３】
従来のユニット部の構成例について、図８に基づき詳細に説明する。図８において、ユニット部５０は、基本的な構成としてマイクロホンカプセル１１と支持筐体１２とを備えている。
マイクロホンカプセル１１は、例えば真鍮材からなる円筒状のハウジング１３を備え、このハウジング１３内には、支持リング１４に張設された振動板１５と、絶縁座１６に支持された固定極１７とが電気絶縁性のスペーサ（図示省略）を介して対向対置されている。
ハウジング１３の背面側は、前記絶縁座１６を固定するように裏蓋１８が設けられ、固定極１７に配線（図示せず）を介して接続されたコンタクトピン１９が裏蓋１８から突出している。また、ハウジング１３の内面側には、支持筐体１２と連結するための連結ネジ２０が、ハウジング１３と電気的に導通するように固定されている。
【０００４】
また、支持筐体１２は、例えば真鍮材により円筒状に形成され、その一端側（図では上端側）には、その内部空間を塞ぐように回路基板２１が配置されている。
回路基板２１には、インピーダンス変換器としてのＦＥＴ（図示せず）が実装されている。また、図示しないが、回路基板２１には、前記ＦＥＴのゲート、ドレイン、ソースの各電極に対するリード線が形成されている。回路基板２１は両面回路基板であり、少なくともゲート用リード配線は、スルーホール内配線を介して回路基板２１の上面側（マイクロホンカプセル１１側）に引き出されている。
【０００５】
また、回路基板２１上には、前記コンタクトピン１９と接触する板バネからなる接触端子２２が、ゴム弾性体のスペーサ２３に保持された状態で載置されている。この状態において、接触端子２２の下端は前記ＦＥＴのゲート用リード配線と接触している。
したがって、マイクロホンカプセル１１を支持筐体１２に連結すると、固定極１７がコンタクトピン１９及び接触端子２２を介して回路基板２１上のＦＥＴ（のゲート）に接続されるようになされている。
【０００６】
また、図８において回路基板２１の下方には、支持筐体１２内にコード固定具２４が設けられ、筐体１２内に引き込まれるマイクコード３０の先端部を固定している。図８に示すように、このコード固定具２４を覆う支持筐体１２の下面には、コード導入孔２５が形成されている。このコード導入孔２５より、マイクコード３０が支持筐体１２内に引き込まれている。
マイクコード３０には、電源をマイクロホンカプセル１１に供給する電源線３１と、回路基板２１上のＦＥＴから出力される音声信号を出力モジュール部（図示せず）に送信する信号線３２と、これら電源線３１及び信号線３２を静電遮蔽し接地に落とされるシールド被覆線３３とを含む２芯シールド線が用いられる。
また、前記電源線３１は回路基板２１上のＦＥＴのゲート用リード配線に、信号線３２は前記ＦＥＴのドレイン用リード配線に、シールド被覆線３３は前記ＦＥＴのソース用リード配線にそれぞれハンダ付けされている。
【０００７】
尚、図８に示した一例にあっては、マイクロホンの収音軸とマイクコード３０の引き出し方向の軸とが同一方向の場合であるが、図９に示すように収音軸とコード引き出し軸とを直交させた構成のものがある。これは、収音軸に対しマイクコードが同一方向のものと、直交方向のものとを用意することで、コードの引き回しに際し、ユーザは都合のよい方を選定することが可能となるためである。
【０００８】
図９に示す構成について説明すると、図面上、円筒状の支持筐体１２の下端には開口部１２ａが形成され、その開口部１２ａに対し円板状の蓋部材２６が螺合する構造となっている。また、開口部１２ａには、収音軸方向に延びる一本の切り込みスリット１２ｂが形成され、このスリット１２ｂに対しマイクコード３０が挿通され、側方に引き出されている。
尚、組立時においては、開口部１２ａに蓋部材２６が装着されていない状態で、回路基板２１に先端（電源線３１、信号線３２、シールド被覆線３３）がハンダ付けされ、コード固定具２４に固定されたマイクコード３０が、前記スリット１２ｂに嵌め込まれ、その後に蓋部材２６が開口部１２ａに螺合され装着される。
【先行技術文献】
【特許文献】
【０００９】
【特許文献１】特開２００７−２８０２７号公報
【発明の概要】
【発明が解決しようとする課題】
【００１０】
ところで、図８及び図９に示したユニット部５０の構成にあっては、マイクコード３０のシールド被覆線３３は、電源線３１及び信号線３２と共に支持筐体１２内に引き込まれ、回路基板２１上にハンダ付けされている。
このため、マイクコード３０に加えられる電磁波が支持筐体１２内に入り込んでしまい、回路基板２１上のＦＥＴにおいて検波され雑音が発生するという課題があった。
特に図９に示す構成の場合にあっては、蓋体２６は支持筐体１２と別部材であり、その接続部においてインピーダンス不連続点が生じ、そこから空中の電磁波が筐体１２内に侵入してくるという課題もあった。
【００１１】
更に、図８、図９のように、マイクコード３０の引き出し方向によって、支持筐体１２の形状が異なり、部品点数も異なるため、同一の部品及び部品数でいずれの引き出し方向に対応できる構成が望まれていた。
【００１２】
本発明は、前記した点に着目してなされたものであり、マイクロホンユニットと出力モジュール部とが、マイクコードを介して接続されているマイクロホンにおいて、前記マイクロホンユニットからのマイクコードの引き出し方向に拘わらず、電磁波に起因する雑音の発生を防止することができ、且つ、マイクコードの引き出し方向を収音軸と同一、または直交方向のいずれかに容易に変更することのできるマイクロホンを提供することを目的とする。
【課題を解決するための手段】
【００１３】
前記した課題を解決するために、本発明に係るマイクロホンは、収音を行うマイクロホンユニットと、音声出力回路を有する出力モジュール部と、それらを接続する２芯シールド線からなるマイクコードとを具備し、前記マイクロホンユニットには、ハウジング内に振動板と固定極とを対向させて収容するマイクロホンカプセルと、両端が開口する円筒状に形成され、一端側で前記マイクロホンカプセルを支持すると共に、他端側から前記マイクコードの一端が引き込まれる金属製の支持筐体とを含み、前記支持筐体内には、前記固定極と電気的に接続されるインピーダンス変換器が実装された回路基板が設けられ、前記回路基板に前記マイクコードの一端が接続されたマイクロホンであって、前記支持筐体内には、該支持筐体の軸方向に延びる小径筒状体と大径筒状体とが円環板状体を介して段差状に連結されてなる止め金具が設けられ、前記支持筐体内に引き込まれたマイクコードには、シールド被覆線を剥き出したシールド被覆線露出部が形成され、前記シールド被覆線露出部は、前記止め金具の小径筒状体に挿通されると共に、前記小径筒状体にかしめ固着され、前記支持筐体の内周面には、縮径されることにより円環状の段差部が設けられ、前記止め金具において前記円環板状体の周縁部となる前記大径筒状体の一端は、前記段差部に係止され、前記大径筒状体の他端は、前記支持筐体の開口部に結合される蓋部材の裏面に当接し、前記止め金具は、前記蓋部材により前記段差部に対し押圧されることに特徴を有する。
尚、前記蓋部材は、前記支持筐体の開口部に対し、螺合により結合されることが好ましい。或いは、前記支持筐体の開口部には、内径方向に延びる鍔状突起が設けられ、前記鍔状突起に対し、前記蓋部材の周縁部が係合することにより、前記蓋部材が前記支持筐体の開口部に対し結合されることが好ましい。
【００１４】
このように構成することにより、マイクコードに加えられる電磁波による高周波電流は、前記止め金具を介して支持筐体に流れ、また、インピーダンス変換器を実装する回路基板が設けられた支持筐体内の空間は止め金具によって外部から遮蔽される。
その結果、マイクロホンユニットに対するマイクコードの引き出し部（引き込み部）において、強力な静電シールド効果を得ることができ、電磁波による雑音の発生を防止することができる。
【００１５】
また、前記蓋部材には、前記マイクコードを挿通可能な第一の切り込みスリットが設けられ、前記第一の切り込みスリットにより、前記支持筐体に対する収音軸に沿った前記マイクコードの第一の引き込み口が形成され、前記止め金具における前記大径筒状体には、前記マイクコードを挿通可能な第二の切り込みスリットが設けられ、前記蓋部材が螺合される前記支持筐体の端部には、前記マイクコードを挿通可能な第三の切り込みスリットが設けられ、前記蓋部材が前記支持筐体の端部に螺合し、前記第二の切り込みスリットと第三の切り込みスリットとが重ね合わされた状態で、前記第二の切り込みスリット及び第三の切り込みスリットにより、前記支持筐体に対する収音軸と直交する前記マイクコードの第二の引き込み口が形成され、前記マイクコードは、前記第一の引き込み口と第二の引き込み口のいずれかに挿通され、前記支持筐体内に引き込まれていることが望ましい。
【００１６】
このように支持筐体、止め金具、蓋部材にそれぞれ設けられた切り込みスリットに対し、選択的にマイクコードを挿通させることによって、収音軸に対するマイクコードの引き出し方向を、同一方向と直交方向との間で容易に切り換えることができる。
即ち、支持筐体内の回路基板が設けられた空間を前記止め金具により遮蔽した状態のまま、マイクコードの引き出し方向を切り換えることができる。
【００１７】
また、前記支持筐体の内周面には、前記第三の切り込みスリットに対し位置決めされ、収音軸方向に延びる第一のガイド溝が設けられ、前記止め金具における前記大径筒状体には、その外周面に、前記第二の切り込みスリットに対し位置決めされ、前記第一のガイド溝に対し係合可能、且つ摺動可能な係合突起が設けられ、前記係合突起と前記第一のガイド溝とが係合する状態において、前記第二の切り込みスリットと前記第三の切り込みスリットとが重なり合うことが望ましい。
このように構成することにより、マイクコードの引き出し方向を収音軸と直交させる場合に、支持筐体に対する止め金具の位置合わせを容易に行うことができる。
【００１８】
前記支持筐体の内周面には、前記第三の切り込みスリットに対し位置決めされ、収音軸方向に延びる第二のガイド溝が設けられ、前記止め金具における前記大径筒状体には、その外周面に、前記第二の切り込みスリットに対し位置決めされ、前記第二のガイド溝に対し係合可能、且つ摺動可能な係合突起が設けられ、前記係合突起と前記第二のガイド溝とが係合する状態において、前記第二の切り込みスリットと前記第三の切り込みスリットとが重なり合わないことが望ましい。
このように構成することにより、マイクコードの引き出し方向を収音軸と同方向とする場合、支持筐体における前記第三の切り込みスリットを塞ぐことができ、支持筐体内の遮蔽性を向上することができる。
【発明の効果】
【００１９】
本発明によれば、マイクロホンユニットと出力モジュール部とが、マイクコードを介して接続されているマイクロホンにおいて、前記マイクロホンユニットからのマイクコードの引き出し方向に拘わらず、電磁波に起因する雑音の発生を防止することができ、且つ、マイクコードの引き出し方向を収音軸と同一、または直交方向のいずれかに容易に変更することのできるマイクロホンを得ることができる。
【図面の簡単な説明】
【００２０】
【図１】図１は、本発明に係るマイクロホンが備えるコンデンサマイクロホンユニットの全体構成を示す断面図であって、収音軸とマイクコード引き出し方向が同一の場合を示す図である。
【図２】図２は、本発明に係るマイクロホンが備えるコンデンサマイクロホンユニットの全体構成を示す断面図であって、収音軸とマイクコード引き出し方向が直交する場合を示す図である。
【図３】図３（ａ）は、図１，図２のコンデンサマイクロホンユニットが備える支持筐体の正面図、図３（ｂ）は、その断面図である。
【図４】図４（ａ）は、図１，図２のコンデンサマイクロホンユニットが備える止め金具の正面図、図４（ｂ）は、その断面図である。
【図５】図５（ａ）は、図１，図２のコンデンサマイクロホンユニットが備える蓋部材の平面図、図５（ｂ）は、その断面図である。
【図６】図６（ａ）は、本発明に係るマイクロホンが備えるコンデンサマイクロホンユニットの他の形態を示す断面図であって、マイクコードの引き出し方向が収音軸に直交する場合を示し、図６（ｂ）は、そのときの支持筐体と止め金具との配置関係を示す平面図（下面図）である
【図７】図７（ａ）は、本発明に係るマイクロホンが備えるコンデンサマイクロホンユニットの他の形態を示す断面図であって、マイクコードの引き出し方向が収音軸と同一方向の場合を示し、図７（ｂ）は、そのときの支持筐体と止め金具との配置関係を示す平面図（下面図）である。
【図８】図８は、従来のコンデンサマイクロホンユニットの全体構成を示す断面図であって、収音軸とマイクコード引き出し方向が同一の場合を示す図である。
【図９】図９は、従来のコンデンサマイクロホンユニットの全体構成を示す断面図であって、収音軸とマイクコード引き出し方向が直交する場合を示す図である。
【発明を実施するための形態】
【００２１】
以下、本発明の実施の形態を図面に基づき説明する。図１、図２は本発明に係るマイクロホン１が備えるコンデンサマイクロホンユニット１０（以下、ユニット部１０と呼ぶ）の全体構成を示す断面図であって、図１は収音軸とマイクコード引き出し方向が同一の場合、図２は収音軸とマイクコード引き出し方向が直交する場合を示している。
尚、図１、図２において、先に図８、図９を用いて説明した従来例と同一、若しくは同一と見なしてもよい構成要素については同じ符号で示している。
【００２２】
本発明に係るマイクロホン１は、収音を行うためのユニット部１０と、音声出力回路を有する出力モジュール部（図示せず）と、それらを接続する２芯シールド線からなるマイクコード３０とを具備する。
図１、図２に示すユニット部１０は、マイクロホンカプセル１１と、それに結合された支持筐体２とを備える。尚、前記マイクロホンカプセル１１の構成については、既に図８、図９を用いて説明したものと同じであるため、各構成要素は同一の符号で指し示し、その詳細な説明を省略する。
【００２３】
図３（ａ）は支持筐体２の正面図、図３（ｂ）は支持筐体２の断面図である。支持筐体２は、所定金属（例えば真鍮材）により、（図面上）上下端が開口する筒状に形成され、その上下端開口の内周面には螺子溝２ａ、２ｂがそれぞれ設けられている。
図１、図２に示すように、支持筐体２の上端側（螺子溝２ａ）はマイクロホンカプセル１１と螺合により結合し、マイクロホンカプセル１１を支持している。
【００２４】
また、支持筐体２内には、図８、図９に示した構成と同様に回路基板２１が配置されている。この回路基板２１は、支持筐体２の内周面に形成された第一の段差部２ｃに係止した状態で配置される。回路基板２１には、インピーダンス変換器としてのＦＥＴ（図示せず）が実装され、少なくともゲート用リード配線はスルーホール内配線を介して回路基板２１の上面側（マイクロホンカプセル１１側）に引き出されている。
また、回路基板２１上には、コンタクトピン１９と接触する板バネからなる接触端子２２が、ゴム弾性体のスペーサ２３に保持された状態で載置され、接触端子２２の下端は前記ＦＥＴのゲート用リード配線と接触している。
【００２５】
一方、図１，図２に示す支持筐体２の内部空間において、回路基板２１には、マイクコード３０の先端から引き出された電源線３１と、信号線３２とが電気的に接続されている。
即ち、電源線３１は、回路基板２１上のＦＥＴのゲート用リード配線に、信号線３２は、ドレイン用リード配線に、それぞれハンダ付けされている。
また、支持筐体２内に引き込まれたマイクコード３０において、電源線３１と信号線３２とを覆うシールド被覆線が剥き出しとされ、所定長さのシールド被覆線露出部３４を形成している。尚、前記シールド被覆線露出部３４よりも先の部分は、シールド被覆線が除去されている。
【００２６】
前記シールド被覆露出部３４は、支持筐体２内に設けられた導電性の金属（例えば銅合金）からなる止め金具３によって固定されている。
具体的には、図４（ａ）に止め金具３の正面図、図４（ｂ）に断面図を示す。図示するように、止め金具３は、大小二段になった筒状体、即ち、小径筒状体３ａと大径筒状体３ｂとが円環板状体３ｃを介して段差状に連結されてなる。
図１、図２に示すように、前記シールド被覆露出部３４は、止め金具３の小径筒状体３ａに挿通され、その内周面に、かしめにより固着されている。
【００２７】
また、支持筐体２の内周面には、その内径が縮径することにより円環状の第二の段差部２ｄが形成されており、この第二の段差部２ｄに対し、止め金具３の大径筒状体３ｂの上端（円環板状体３ｃの周縁部）が係止するようになされている。
従って、電源線３１及び信号線３２が剥き出しにされ、回路基板２１が設けられた内部空間Ｓは、止め金具３によって遮蔽され、マイクコード３０のシールド被覆線露出部３４は、止め金具３を介して支持筐体２に電気的に接続された状態となされる。
【００２８】
尚、図１，図２に示すように、支持筐体２の下端開口（螺子溝２ｂ側）は、蓋部材４によって蓋がなされる。即ち、図５（ａ）の平面図、図５（ｂ）の断面図に示すように、蓋部材４は所定材料（例えばプラスチック）により円板状に形成され、その外周面に形成された螺子溝４ａと支持筐体２の下端開口に形成された螺子溝２ｂとが螺合結合するようになされている。
このとき蓋部材４の裏面は、止め金具３の大径筒状体３ｂの下端に当接するため、蓋部材４が支持筐体２の下端開口に螺合されることにより、前記止め金具３は前記支持筐体２の内周面に形成された第二の段差部２ｄに対し押圧される。
その結果、止め金具３の大径筒状体３ｂの上端（円環板状体３ｃの周縁部）が、前記第二の段差部２ｄ（支持筐体２の内周面）に対し隙間なく密着する。
【００２９】
また、図５（ａ）、図５（ｂ）に示すように、蓋部材４には、その中心部まで達する切り込みスリット４ｂ（第一の切り込みスリット、第一の引き込み口）が設けられ、図１に示すように収音軸と同方向にマイクコード３０を引き出す場合には、マイクコード３０は切り込みスリット４ｂに挿通される。
これにより、収音軸とマイクコード３０の引き出し方向は同一方向となり、且つ、ＦＥＴを実装する回路基板２１が設けられた空間Ｓには、止め金具３の静電シールド効果により電磁波（高周波電流）の流れ込みが防止される。
【００３０】
また、図４（ａ）、図４（ｂ）に示すように、止め金具３の大径筒状体３ｂには、切り込みスリット３ｄ（第二の切り込みスリット、第二の引き込み口）が設けられ、図３（ａ）、図３（ｂ）に示すように、支持筐体２には、蓋部材４が螺合される側の端部に切り込みスリット２ｅ（第三の切り込みスリット、第二の引き込み口）が設けられている。
図２に示すように、収音軸に対しマイクコード３０の引き出し方向を直交させる場合には、前記止め金具３のスリット３ｄと支持筐体２のスリット２ｅとが重ね合わされ、マイクコード３０が、それらスリット３ｄ、２ｅに挿通される。
これにより、収音軸に対しマイクコード３０の引き出し方向は直交し、且つ、図１の場合と同様に、ＦＥＴを実装する回路基板２１が設けられた空間Ｓには、止め金具３の静電シールド効果により電磁波（高周波電流）の流れ込みが防止される。
【００３１】
以上のように本発明に係る実施の形態によれば、ユニット部１からのマイクコード３０の引き出し部（引き込み部）において、シールド被覆線が剥き出されたシールド被覆線露出部３４が設けられ、大小二段の筒状体からなる止め金具３は、その小径筒状体３ａにより前記シールド被覆線露出部３４をかしめ、その大径筒状体３ｂ（の上端）により支持筐体２の内周面に形成された段差部２ｄに係止し密着する。
これにより、マイクコード３０に加えられる電磁波による高周波電流は、止め金具３を介して支持筐体２に流れ、また、ＦＥＴを実装する回路基板２１が設けられた空間Ｓは止め金具３によって外部から遮蔽されるため、強力な静電シールド効果を得ることができ、電磁波による雑音の発生を防止することができる。
【００３２】
また、支持筐体２、止め金具３、蓋部材４にそれぞれ設けられた切り込みスリット２ｅ、３ｄ、４ｂに対し、選択的にマイクコード３０を挿通させることによって、収音軸に対するマイクコード３０の引き出し方向を、同一方向と直交方向との間で容易に切り換えることができる。即ち、回路基板２１が設けられた空間Ｓを前記止め金具３により遮蔽した状態のまま、マイクコード３０の引き出し方向を切り換えることができる。
【００３３】
尚、前記実施の形態においては、蓋部材４を支持筐体２の下端開口に対し螺合により結合させる構成としたが、本発明にあっては、その結合方法を螺合のみに限定するものではない。
例えば、図６（ａ）、図７（ａ）に示すように、支持筐体２の下端開口に、内径方向に延びる鍔状突起２ｆを設け、この鍔状突起２ｆに対し蓋部材４の周縁部が係合する構造とし、蓋部材４を支持筐体２の下端開口に対し押し込んで係合させてもよい。
【００３４】
また、前記したように、支持筐体２及び止め金具３には、マイクコード３０の引き出し方向を収音軸に直交させる場合に利用される切り込みスリット２ｅ、３ｄが形成されているが、それらの位置合わせを容易とするためのガイド手段を設けることが望ましい。
具体的に説明すると、図６（ｂ）は、マイクコード３０の引き出し方向が収音軸に直交する場合における支持筐体２と止め金具３との配置関係を示す平面図（下面図）である（図６（ａ）に対応）。また、図７（ｂ）は、マイクコード３０の引き出し方向が収音軸と同一方向の場合における支持筐体２と止め金具３との配置関係の一例を示す平面図（下面図）である（図７（ａ）に対応）。尚、図６（ｂ）、図７（ｂ）共に、マイクコード３０、及び蓋部材４は図示省略している。
図６（ｂ）、図７（ｂ）に示すように、ガイド手段として、支持筐体２には、その内周面に、切り込みスリット２ｅに対し位置決めされ、収音軸方向に延びるガイド溝２ｇ（第一のガイド溝）とガイド溝２ｈ（第二のガイド溝）とが設けられる。
一方、止め金具３の大径筒状体３ｂには、その外周面に、切り込みスリット３ｄに対し位置決めされ、前記ガイド溝２ｇ、２ｈに摺動可能な係合突起３ｆが設けられる。
【００３５】
前記構成によれば、マイクコード３０の引き出し方向を収音軸と直交させる場合、図６（ｂ）に示すように止め金具３の係合突起３ｆを支持筐体２のガイド溝２ｇに係合させればよい。即ち、それにより、支持筐体２の切り込みスリット２ｅと止め金具３の切り込みスリット３ｄ（図６（ｂ）においてクロスハッチングで示す）とを容易に重ね合わせることができる。
一方、マイクコード３０の引き出し方向と収音軸とを同一方向とする場合、図７（ｂ）に示すように止め金具３の係合突起３ｆを支持筐体２のガイド溝２ｈに係合させればよい。即ち、それにより、支持筐体２の切り込みスリット２ｅと止め金具３の切り込みスリット３ｄ（図７（ｂ）においてクロスハッチングで示す）とが重なることがなく、切り込みスリット２ｅが大径筒状体３ｂにより塞がれて、支持筐体２内の遮蔽性を向上することができる。
【００３６】
尚、図６（ｂ）、図７（ｂ）にあっては、支持筐体２の端部開口に蓋部材４を押し込んで係止する例を示したが、前記ガイド手段としてのガイド溝２ｇ、２ｈは、支持筐体２の端部開口（螺子溝２ｂ）に対し蓋部材４を螺合結合する構成（図１，図２）に設けられてもよい。
【符号の説明】
【００３７】
１          マイクロホン
２          支持筐体
２ｄ        段差部
３          止め金具
３ａ        小径筒状体
３ｂ        大径筒状体
３ｃ        円環板状体
４          蓋部材
１０        マイクロホンユニット
１１        マイクロホンカプセル
１３        ハウジング
１５        振動板
１７        固定極
２１        回路基板
３０        マイクコード
３４        シールド被覆線露出部
【図１】
0005457300.tif 000002
【図２】
0005457300.tif 000003
【図３】
0005457300.tif 000004
【図４】
0005457300.tif 000005
【図５】
0005457300.tif 000006
【図６】
0005457300.tif 000007
【図７】
0005457300.tif 000008
【図８】
0005457300.tif 000009
【図９】
0005457300.tif 000010